(57)【要約】【課題】湾曲したダクト筐体内にスクリュー部材を配したレジスタを、正確な寸法精度で簡単に製造することができるレジスタとその製造方法を提供する。【解決手段】レジスタは、湾曲したダクト筐体１内に螺旋壁を有するスクリュー部材２を配して螺旋流路がダクト筐体１内に形成され、ダクト筐体１の外周部に設けたスリット状の吹出口３を通して空気を送風する。スクリュー部材２は、１ピッチ分となるピッチ部材２０が、ダクト筐体１内に複数個軸方向に連設収納される。ダクト筐体１は、複数のピッチ部材２０に対応した長さを有し、ダクト筐体１の中心線が通る長手方向の断面で半割形状としたダクト半割部材１０から形成され、ダクト半割部材１０は、合わせ面を一方に湾曲した形状の下ダクト半割部１１と、他方に湾曲した形状の上ダクト半割部１２とから構成される。【選択図】図１
2018043719.tif 000002
【特許請求の範囲】
【請求項１】
湾曲したダクト筐体内に螺旋壁を有するスクリュー部材を配して螺旋流路が該ダクト筐体内に形成され、該ダクト筐体の外周部に設けたスリット状の吹出口を通して空気を送風するレジスタにおいて、
該スクリュー部材は、１ピッチ分となるピッチ部材が、該ダクト筐体内に複数個軸方向に連設収納されて形成され、
該ダクト筐体は、複数の該ピッチ部材に対応した長さを有し、該ダクト筐体の中心線が通る長手方向の断面で半割形状としたダクト半割部材から形成され、
該ダクト半割部材は、合わせ面を一方に湾曲した形状の下ダクト半割部と、他方に湾曲した形状の上ダクト半割部とから構成され、
該下ダクト半割部と上ダクト半割部内には、該ピッチ部材を各々収納する収納部が、軸方向に沿って複数個形成され、
該下ダクト半割部と上ダクト半割部は、該収納部と収納部間に該ダクト筐体の中心線に対し傾斜した傾斜接続部を設けることにより、全体として湾曲した形状に形成され、
該傾斜接続部内には、該ピッチ部材と該ピッチ部材との間を接続する板状のスクリュー接続部が突設され、
該下ダクト半割部の周縁部と該上ダクト半割部の周縁部には、該下ダクト半割部上に該上ダクト半割部を被せて内部を閉じたとき、相互に嵌合する嵌合部が設けられ、
該ピッチ部材が該各収納部内の該スクリュー接続部と該スクリュー接続部の間に挿入された状態で、該下ダクト半割部と該上ダクト半割部が閉じるように嵌着されたことを特徴とするレジスタ。
【請求項２】
前記ダクト半割部材の下ダクト半割部と上ダクト半割部は、ヒンジ部を介して且つ該ヒンジ部を対称軸とする対称形に一体成形されたことを特徴とする請求項１記載のレジスタ。
【請求項３】
前記下ダクト半割部と上ダクト半割部を嵌合する前記嵌合部に、該下ダクト半割部と上ダクト半割部を閉じたとき、相互に嵌合する薄板状嵌合部、係止部及び係止爪が設けられたことを特徴とする請求項１記載のレジスタ。
【請求項４】
前記下ダクト半割部の中央に、空気の導入口が設けられ、前記上ダクト半割部の縁部に、スリット状の吹出口が長手方向に沿って設けられ、該導入口の両側の収納部に配設されるスクリュー部材の各ピッチ部材は、相互に逆ネジ方向の螺旋壁を有して形成されたことを特徴とする請求項１記載のレジスタ。
【請求項５】
円筒状で湾曲したダクト筐体内に螺旋壁を有するスクリュー部材を配して螺旋流路が該ダクト筐体内に形成され、該ダクト筐体の外周部にスリット状の吹出口が設けられる構造のレジスタを合成樹脂により製造するレジスタの製造方法において、
該スクリュー部材の１ピッチ分となるピッチ部材を、成形型内に合成樹脂を射出して射出成形により成形する工程と、
複数の該ピッチ部材に対応した長さを有し、該ダクト筐体を中心線が通る長手方向の断面で半割形状としたダクト半割部材を、成形型内に合成樹脂を射出して射出成形により成形する工程と、
該ダクト半割部材内に該ピッチ部材を挿入し、該ダクト半割部材を合せるように閉じて、該ダクト筐体を組み立てる工程と、
を含み、
該ダクト半割部材は、一方に湾曲した形状の下ダクト半割部と他方に湾曲した形状の上ダクト半割部とが、ヒンジ部を介して且つ該ヒンジ部を対称軸とする対称形に一体成形され、
該下ダクト半割部と上ダクト半割部内には、該スクリュー部材のピッチ部材が各々収納される収納部が、軸方向に沿って複数個形成され、
該下ダクト半割部と上ダクト半割部は、該収納部と収納部間に該収納部の中心線に対し傾斜した傾斜接続部を設けることにより、全体として湾曲した形状に形成され、
該収納部と収納部間には、該ピッチ部材と該ピッチ部材との間を接続する板状のスクリュー接続部が突設され、
組立工程時、該下ダクト半割部または上ダクト半割部の各収納部内に、該ピッチ部材を挿入し、該下ダクト半割部と該上ダクト半割部を合せて閉じるように該ヒンジ部を介して回動させ、該下ダクト半割部と上ダクト半割部の縁部の嵌合部を嵌着することを特徴とするレジスタの製造方法。
【請求項６】
円筒状で湾曲したダクト筐体内に螺旋壁を有するスクリュー部材を配して螺旋流路が該ダクト筐体内に形成され、該ダクト筐体の外周部にスリット状の吹出口が設けられる構造のレジスタを合成樹脂により製造するレジスタの製造方法において、
該スクリュー部材の１ピッチ分となるピッチ部材を、成形型内に合成樹脂を射出して射出成形により成形する工程と、
複数の該ピッチ部材に対応した長さを有し、該ダクト筐体を中心線が通る長手方向の断面で半割形状としたダクト半割部材を、成形型内に合成樹脂を射出して射出成形により成形する工程と、
該ダクト半割部材内に該ピッチ部材を挿入し、該ダクト半割部材を合せるように閉じて、該ダクト筐体を組み立てる工程と、
を含み、
該ダクト半割部材は、合わせ面を一方に湾曲した形状の下ダクト半割部と、他方に湾曲した形状の上ダクト半割部とから構成され、
該下ダクト半割部と上ダクト半割部内には、該スクリュー部材のピッチ部材が各々収納される収納部が、軸方向に沿って複数個形成され、
該下ダクト半割部と上ダクト半割部は、該収納部と収納部間に該収納部の中心線に対し傾斜した傾斜接続部を設けることにより、全体として湾曲した形状に形成され、
該収納部と収納部間には、該ピッチ部材と該ピッチ部材との間を接続する板状のスクリュー接続部が突設され、
組立工程時、該下ダクト半割部または上ダクト半割部の該各収納部内に、該ピッチ部材を挿入し、該下ダクト半割部と該上ダクト半割部を合せて閉じ、該下ダクト半割部と上ダクト半割部の縁部の嵌合部を嵌着することを特徴とするレジスタの製造方法。
【請求項７】
前記下ダクト半割部と上ダクト半割部を嵌合する嵌合部に、相互に嵌合する薄板状嵌合部、係止部及び係止爪を設け、該下ダクト半割部と上ダクト半割部を合せて閉じたとき、薄板状嵌合部、係止部及び係止爪を嵌着させることを特徴とする請求項５または６記載のレジスタの製造方法。
【発明の詳細な説明】
【技術分野】
【０００１】
本発明は、自動車のデフロスタ用レジスタなどに好適なダクト型のレジスタに関し、ダクト筐体内に螺旋流路を設け、ダクト筐体の外周部の吹出口から、広い範囲に均一に送風を行うことができるレジスタとその製造方法に関する。
【背景技術】
【０００２】
自動車の室内には、フロントガラスに内側に付着する水滴などを除去するために、通常、フロントガラスの下側に、デフロスタ用レジスタが配設される。この種のレジスタは、例えば特許文献１に記載されるように、通常、フロントガラスの内側に、カーテン状の空気流を均一の流速で且つ均一の風量で送風するように、車幅方向に長尺の空気吹出口を有し、レジスタの元部は、フロントガラス下側（ダッシュボード内）に配設され、その細い横長形状の空気吹出口に向けて、空気流を均一に分散させ、送風するように、扇状に形成された大型の通風ケースを設けて形成されている。
【０００３】
しかし、近年の自動車におけるフロントガラスの大型化に伴い、デフロスタ用レジスタの空気吹出口は、より長くなり、且つ十分な風量を確保するために、レジスタの元部の通風ケースは大型化され、元部の通風ケースには、十分な風量の空気流を均一に分散させて送風するように、複数の空気導入口が設けられる。
【０００４】
このため、この種のレジスタの元部は、非常に大形化されて嵩張り、自動車室内のインストルメントパネル内（ダッシュボード内）のスペースを、デフロスタ用レジスタの元部が大きく占めることとなる。このため、レジスタの小形化が課題とされていた。
【０００５】
また、細く横長形状の空気吹出口から、均一な流速と流量で送風するためには、複数の空気導入口から導入した空気流を、細い横長形状の空気吹出口に向けて送風するように、薄く延びる流路を導入側元部から空気吹出口にかけて形成する必要があり、このために、送風時の圧力損失が増大し、送風性能が阻害されやすいという課題があった。
【０００６】
そこで、本出願人は、下記特許文献２において、円筒ダクト状の筐体内に、螺旋壁を二重に設けて螺旋流路を形成し、円筒ダクト状の縁部長手方向に沿ってスリット孔を空気吹出口として設けた構造のレジスタを提案した。このダクト型のレジスタは、円筒状のダクト筐体内に形成された螺旋流路に空気流を導入して、螺旋流路内で旋回する空気流に遠心力を生じさせ、遠心力の生じた旋回流を、外周部に設けたスリット孔の空気吹出口を通して送風する。
【先行技術文献】
【特許文献】
【０００７】
【特許文献１】特開２０００−２５５２５６号公報
【特許文献２】ＷＯ２０１４／１８４９５８Ａ１公報
【発明の概要】
【発明が解決しようとする課題】
【０００８】
このレジスタは、従来のデフロスタ用レジスタのように、その元部を扇状に広げた大形の通風ケースを必要としないため、レジスタの元部を小形化することができ、また、ダクト状の筐体の縁部に沿って形成された長尺のスリット孔から、空気流を均一に効率良く送風することができる。
【０００９】
しかし、レジスタの製造時、円筒ダクト状の筐体内に、螺旋壁を有したスクリュー部材が挿入固定されるが、ダクト状の筐体は同一断面形状のため、押出成形で製造できるものの、スクリュー部材を合成樹脂で成形する場合、通常の金型による射出成形では、螺旋形状を成形することはできない。
【００１０】
さらに、デフロスタ用レジスタの場合、自動車のフロントガラスの下側に配設され、フロントガラスの下部は長尺で且つ湾曲形状であるため、デフロスタ用レジスタの形状も、長尺で湾曲させる必要ある。このため、デフロスタ用レジスタの製造に際し、長手方向（軸方向）に湾曲したスクリュー部材と、それを収納する、長手方向（軸方向）に湾曲したダクト筐体を、製作する必要がある。
【００１１】
しかし、軸方向に湾曲した長尺のスクリュー部材やダクト筐体を、高い寸法精度で効率良く量産することは非常に難しいという課題があった。
【００１２】
本発明は、上記の点に鑑み、湾曲したダクト筐体内にスクリュー部材を配したレジスタを、正確な寸法精度で簡単に製造することができるレジスタとその製造方法を提供することを目的とする。
【課題を解決するための手段】
【００１３】
上記目的を達成するために、本発明のレジスタは、
湾曲したダクト筐体内に螺旋壁を有するスクリュー部材を配して螺旋流路が該ダクト筐体内に形成され、該ダクト筐体の外周部に設けたスリット状の吹出口を通して空気を送風するレジスタにおいて、
該スクリュー部材は、１ピッチ分となるピッチ部材が、該ダクト筐体内に複数個軸方向に連設収納されて形成され、
該ダクト筐体は、複数の該ピッチ部材に対応した長さを有し、該ダクト筐体の中心線が通る長手方向の断面で半割形状としたダクト半割部材から形成され、
該ダクト半割部材は、合せ面を一方に湾曲した形状の下ダクト半割部と、他方に湾曲した形状の上ダクト半割部とから構成され、
該下ダクト半割部と上ダクト半割部内には、該ピッチ部材を各々収納する収納部が、軸方向に沿って複数個形成され、
該下ダクト半割部と上ダクト半割部は、該収納部と収納部間に該ダクト筐体の中心線に対し傾斜した傾斜接続部を設けることにより、全体として湾曲した形状に形成され、
該傾斜接続部内には、該ピッチ部材と該ピッチ部材との間を接続する板状のスクリュー接続部が突設され、
該下ダクト半割部の周縁部と該上ダクト半割部の周縁部には、該下ダクト半割部と該上ダクト半割部を合せて閉じたとき、相互に嵌合する嵌合部が設けられ、
該ピッチ部材が該各収納部内の該スクリュー接続部と該スクリュー接続部の間に挿入された状態で、該下ダクト半割部と該上ダクト半割部が閉じるように嵌着されたことを特徴とする。
【００１４】
本発明のレジスタによれば、湾曲したダクト筐体内にスクリュー部材を配したレジスタを、正確な寸法精度で簡単に製造することができる。特に、スクリュー部材のピッチ部材は、湾曲した形状に成形することが、設計上及び製作上、非常に難しいが、上記レジスタは、通常の直線状のピッチ部材及び収納部を有するダクト筐体を、比較的簡単に設計し製作することができる。また、部材の組立時に、各ピッチ部材とピッチ部材間を傾斜接続部内の板状のスクリュー接続部で接続するので、全体として湾曲するダクト筐体を有するダクト型のレジスタを、簡単に効率良く製造することができる。
【００１５】
ここで、上記ダクト半割部材の下ダクト半割部と上ダクト半割部は、ヒンジ部を介して且つ該ヒンジ部を対称軸とする対称形に一体成形された構成とすることができる。これによれば、１個の成形型を用いて、ダクト半割部材の下ダクト半割部と上ダクト半割部を、１回の射出成形により、一体成形することができ、成形金型及び成形工程の削減を図ることができる。
【００１６】
また、上記下ダクト半割部と上ダクト半割部を嵌合する上記嵌合部には、該下ダクト半割部と上ダクト半割部を合せて閉じたとき、相互に嵌合する薄板状嵌合部、係止部及び係止爪を設けることができる。
【００１７】
また、上記下ダクト半割部の中央に、空気の導入口を設け、上記上ダクト半割部の縁部接線方向に、スリット状の吹出口を長手方向に沿って設け、該導入口の両側の収納部に配設されるスクリュー部材の各ピッチ部材は、相互に逆ネジ方向の螺旋壁を有して形成することができる。
【００１８】
これによれば、自動車のフロントガラスの下側に配設されるデフロスタ用レジスタに、本発明のレジスタを適用することができ、フロントガラスの曲面に沿って湾曲する部分に、レジスタを省スペースでコンパクトに設置することができる。
【００１９】
本発明のレジスタの製造方法は、
円筒状で湾曲したダクト筐体内に螺旋壁を有するスクリュー部材を配して螺旋流路が該ダクト筐体内に形成され、該ダクト筐体の外周部にスリット状の吹出口が設けられる構造のレジスタを合成樹脂により製造するレジスタの製造方法において、
該スクリュー部材の１ピッチ分となるピッチ部材を、成形型内に合成樹脂を射出して射出成形により成形する工程と、
複数の該ピッチ部材に対応した長さを有し、該ダクト筐体を中心線が通る長手方向の断面で半割形状としたダクト半割部材を、成形型内に合成樹脂を射出して射出成形により成形する工程と、
該ダクト半割部材内に該ピッチ部材を挿入し、該ダクト半割部材を合せるように閉じて、該ダクト筐体を組み立てる工程と、
を含み、
該ダクト半割部材は、合せ面を一方に湾曲した形状の下ダクト半割部と他方に湾曲した形状の上ダクト半割部とが、ヒンジ部を介して且つ該ヒンジ部を対称軸とする対称形に一体成形され、
該下ダクト半割部と上ダクト半割部内には、該スクリュー部材のピッチ部材が各々収納される収納部が、軸方向に沿って複数個形成され、
該下ダクト半割部と上ダクト半割部は、該収納部と収納部間に、該収納部の中心線に対し傾斜した傾斜接続部を設けることにより、全体として湾曲した形状に形成され、
該各収納部内には、該ピッチ部材と該ピッチ部材との間を接続する板状のスクリュー接続部が突設され、
組立工程時、該下ダクト半割部または該上ダクト半割部の各収納部内に、該ピッチ部材を挿入し、該下ダクト半割部と該上ダクト半割部を合せるように該ヒンジ部を介して回動させ、該下ダクト半割部と上ダクト半割部の縁部の嵌合部を嵌着することを特徴とする。
【００２０】
本発明のレジスタの製造方法によれば、湾曲したダクト筐体内にスクリュー部材を配したレジスタを、正確な寸法精度で簡単に製造することができる。特に、スクリュー部材のピッチ部材は、湾曲した形状に成形することが、設計上及び製作上、非常に難しいが、上記製造方法では、通常の直線状のピッチ部材を成形し、それらの接続部分において、僅かに曲げて、板状のスクリュー接続部で接続し製造するので、スクリュー部材を内部に設け且つ湾曲したダクト型のレジスタを、簡単に効率良く製造することができる。
【００２１】
ここで、上記下ダクト半割部と上ダクト半割部を嵌合する嵌合部に、相互に嵌合する薄板状嵌合部、係止部及び係止爪を設け、下ダクト半割部と上ダクト半割部を閉じたとき嵌合し係止されるように構成することができる。これによれば、嵌合するのみでダクト半割部材の合せ部を密閉させ、送風時の空気漏れを防止することができる。
【００２２】
本発明の別のレジスタの製造方法は、
円筒状で湾曲したダクト筐体内に螺旋壁を有するスクリュー部材を配して螺旋流路が該ダクト筐体内に形成され、該ダクト筐体の外周部にスリット状の吹出口が設けられる構造のレジスタを合成樹脂により製造するレジスタの製造方法において、
該スクリュー部材の１ピッチ分となるピッチ部材を、成形型内に合成樹脂を射出して射出成形により成形する工程と、
複数の該ピッチ部材に対応した長さを有し、該ダクト筐体を中心線が通る長手方向の断面で半割形状としたダクト半割部材を、成形型内に合成樹脂を射出して射出成形により成形する工程と、
該ダクト半割部材内に該ピッチ部材を挿入し、該ダクト半割部材を合せるように閉じて、該ダクト筐体を組み立てる工程と、
を含み、
該ダクト半割部材は、合せ面を一方に湾曲した形状の下ダクト半割部と、他方に湾曲した形状の上ダクト半割部とから構成され、
該下ダクト半割部と上ダクト半割部内には、該スクリュー部材のピッチ部材が各々収納される収納部が、軸方向に沿って複数個形成され、
該下ダクト半割部と上ダクト半割部は、該収納部と収納部間に湾曲した湾曲接続部を設けることにより、全体として湾曲した形状に形成され、
該収納部と収納部間には、該ピッチ部材と該ピッチ部材との間を接続する板状のスクリュー接続部が突設され、
該下ダクト半割部の周縁部と該上ダクト半割部の周縁部には、下ダクト半割部上と上ダクト半割部を合せて閉じたとき、相互に嵌合する嵌合部が設けられ、
該下ダクト半割部の各収納部内に、該ピッチ部材を挿入し、該下ダクト半割部と該上ダクト半割部を合せて閉じ、該下ダクト半割部と該上ダクト半割部の縁部の嵌合部を嵌着することを特徴とする。
【発明の効果】
【００２３】
本発明のレジスタとその製造方法によれば、湾曲したダクト筐体内にスクリュー部材を配したレジスタを、正確な寸法精度で簡単に製造することができる。
【図面の簡単な説明】
【００２４】
【図１】本発明の一実施形態を示すレジスタの斜視図である。
【図２】同レジスタの背面側から見た斜視図である。
【図３】同レジスタの平面図である。
【図４】同レジスタの上ダクト半割部を開いた状態の斜視図である。
【図５】スクリュー部材をダクト筐体から外した状態の斜視図である。
【図６】同レジスタの上ダクト半割部を開いた状態の正面図である。
【図７】開放したダクト筐体の正面図である。
【図８】開放したダクト筐体の下ダクト半割部と上ダクト半割部の平面図である。
【図９】開放した下ダクト半割部と上ダクト半割部の左側面図である。
【図１０】開放した下ダクト半割部と上ダクト半割部の底面図である。
【図１１】（ａ）は図８のX-X断面図、（ｂ）は図８のXI-XI断面図である。
【図１２】（ａ）は左側のダクト筐体内に配置したピッチ部材の正面図、（ｂ）はその平面図、（ｃ）はその左側面図、（ｄ）はその斜視図である。
【図１３】（ａ）は右側のダクト筐体内に配置したピッチ部材の正面図、（ｂ）はその平面図、（ｃ）はその左側面図、（ｄ）はその斜視図である。
【図１４】レジスタの送風状態を示す斜視図である。
【図１５】他の実施形態を示すダクト筐体の下ダクト半割部と上ダクト半割部の平面図である。
【図１６】他の実施形態を示すレジスタの斜視図である。
【発明を実施するための形態】
【００２５】
以下、本発明の実施の形態を図面に基づいて説明する。図１〜図３は円筒状のダクト筐体１を有したダクト型のレジスタを示している。このレジスタは、湾曲した円筒ダクト状のダクト筐体１内に、スクリュー部材２が複数のピッチ部材２０、３０を長手方向に接続して挿入固定され、スクリュー部材２の螺旋壁の両側に、第１螺旋流路４と第２螺旋流路５が二重螺旋流路としてダクト内に形成される。
【００２６】
このダクト型のレジスタは、概略的には、図１４に示す如く、ダクト筐体１の中央下部に設けた導入口９から空気をダクト内に導入し、第１螺旋流路４及び第２螺旋流路５を通して、空気をネジの送り方向に回転移送し、ダクト筐体１の外周部接線方向に設けた複数のスリット状の吹出口３から送風するように構成される。
【００２７】
複数の吹出口３は、螺旋流路の螺旋の回転方向（ネジの送り方向への回転方向）に向けて、ダクト円周部の接線方向に開口し、ダクトの長手方向に沿って並設される。ダクト筐体１の両側端部は閉鎖される。中央下部に設けた導入口９から導入された空気流は、ダクト筐体１の両側に分かれ、第１螺旋流路４及び第２螺旋流路５内を旋回しながら両側方向に送られ、その間、遠心力でダクト内の円周壁に沿って上向きに流れる空気は、ダクト円周部の接線方向の吹出口３から上方に向けて送風される。
【００２８】
ダクト筐体１は、図３に示すように、組立状態において、全体として平面視で弓形に湾曲した形状に形成され、ダクト内には複数のピッチ部材２０を各々収納する収納部８が設けられる。ダクト筐体１内の収納部８は直線円筒状に形成され、各収納部８と収納部８間に、傾斜接続部１８，１９を設けることにより、ダクト筐体１が全体として平面上で湾曲する形状となっている。
【００２９】
すなわち、図１，図３に示す如く、図の右端の収納部８の軸方向の中心線Ｓ１に対し、その内側に隣接する収納部８の軸方向の中心線Ｓ２は、角度αだけ傾斜し、ダクト筐体１内に軸方向に沿って設けられる４個の収納部８は、各々角度αだけ順に傾斜し、全体として弓形に湾曲した形状としている。これにより、各収納部８内に収納固定される各ピッチ部材２０、３０は、直線状の中心軸を有する通常の螺旋壁のスクリュー部材から簡単に製作可能である。
【００３０】
さらに、図４、５に示す如く、ダクト筐体１は、上記中心線Ｓ１、Ｓ２が通る長手方向の断面で半割形状とした、ダクト半割部材１０から形成され、図５に示すように、下収納部１４または上収納部１５内に各ピッチ部材２０、３０を挿入固定した状態で、ダクト半割部材１０を閉じたとき、下収納部１４と上収納部１５により収納部８が円筒空間状に形成される構造である。なお、ピッチ部材２０は、左ネジの螺旋壁を有するスクリュー部材であり、ピッチ部材３０は、右ネジの螺旋壁を有するスクリュー部材である。
【００３１】
ダクト半割部材１０は、合せ面を一方に湾曲した形状の下ダクト半割部１１と、他方に湾曲した形状の上ダクト半割部１２とから構成され、下ダクト半割部１１と上ダクト半割部１２は、平板部１３を介して合成樹脂により一体成形される。
【００３２】
平板部１３には、中央長手方向にヒンジ部１３ａが樹脂ヒンジとして形成され、下ダクト半割部１１と上ダクト半割部１２はヒンジ部１３ａを対称軸とする対称形に一体成形される。これにより、下ダクト半割部１１と上ダクト半割部１２は、上部の開口部合せ面を合せるようにヒンジ部１３ａを介して相互に回動させることができるようになっている。ダクト半割部材１０の下ダクト半割部１１と上ダクト半割部１２には、開口合せ面の周縁部に嵌合部が形成され、下ダクト半割部１１と上ダクト半割部１２が合せるように閉じられたとき、嵌合部が相互に嵌着される構造である。
【００３３】
下ダクト半割部１１と上ダクト半割部１２内には、下収納部１４と上収納部１５が、各々半円筒空間として、軸方向に沿って複数個形成される。ダクト半割部材１０の下ダクト半割部１１と上ダクト半割部１２を合せて閉じたとき、内部の下収納部１４と上収納部１５は円筒空間として複数の収納部８を構成する。これらの収納部８内には、各々、ピッチ部材２０、３０が収納される。さらに、下ダクト半割部１１と上ダクト半割部１２には、ダクト筐体１を全体として湾曲形状とするために、収納部８と収納部８間の筒状部に、傾斜した円筒形の傾斜接続部１８、１９が介挿されるように一体に設けられる。
【００３４】
上記のように、ダクト半割部材１０内には、軸方向にそって複数の収納部８が円筒空間状に並設されるが、図１，図３に示す如く、隣接する収納部８の中心線Ｓ１，Ｓ２の角度は、α度となり、全ての隣接する収納部８が同じ方向に角度αで傾斜することにより、ダクト筐体１が全体として湾曲する形状となっている。このような隣接する収納部８と収納部８間で傾斜角度を設けるために、僅かに傾斜した傾斜接続部１８，１９が、下ダクト半割部１１の下収納部１４と上ダクト半割部１２の上収納部１５間に半割状に設けられる。傾斜接続部１８，１９は、下ダクト半割部１１と上ダクト半割部１２が合せされた状態で、円筒形状となる。
【００３５】
円筒状の傾斜接続部１８、１９の中心線は、収納部８の中心線Ｓ１，Ｓ２に対し、僅かに一方向に傾斜して形成されることとなる。図８に示すように、半割状に開いた状態の下ダクト半割部１１と上ダクト半割部１２では、下ダクト半割部１１が隣接する下収納部１４と下収納部１４間に傾斜接続部１８を介在させて形成され、上ダクト半割部１２は隣接する上収納部１５と上収納部１５間に傾斜接続部１９を介在させるように一体成形される。
【００３６】
このように、ダクト筐体１内の収納部８と収納部８間に傾斜接続部１８、１９を設けることにより、直線状の収納部８に関わらず、ダクト筐体１は、図１，２に示すように、全体として湾曲形状に形成される。また、各収納部８は、下ダクト半割部１１の下収納部１４と上ダクト半割部１２の上収納部１５とから形成されるが、下収納部１４と上収納部１５は、長手方向に直線状に形成されるので、レジスタの組立て時、通常の直線状のピッチ部材２０、３０を、各下収納部１４または上収納部１５内に、挿入して容易に嵌め込むことができる。このため、ピッチ部材２０、３０は通常の直線状スクリューのピッチ部材として製作することができ、成形型の製作や成形を簡単に行うことができる。
【００３７】
さらに、下ダクト半割部１１と上ダクト半割部１２の傾斜接続部１８，１９内には、ピッチ部材２０とピッチ部材２０との間またはピッチ部材３０とピッチ部材３０との間を連結接続する板状のスクリュー接続部１６，１７が突設される。図５に示すように、下ダクト半割部１１の各下収納部１４内にピッチ部材２０、３０を挿入し、或いは、上ダクト半割部１２の各上収納部１５内にピッチ部材２０を挿入したとき、ピッチ部材２０とピッチ部材２０間が傾斜接続部１８、１９内のスクリュー接続部１６、１７により密に嵌合接続される。これにより、下ダクト半割部１１上に上ダクト半割部１２を被せて開口部を閉じたとき、或いは上ダクト半割部１２上に下ダクト半割部１１を被せて開口部を閉じたとき、上ダクト半割部１２の傾斜接続部１９内のスクリュー接続部１７及び下ダクト半割部１１の傾斜接続部１８内のスクリュー接続部１６がピッチ部材２０とピッチ部材２０間に差し込まれて、その間を密に接続する構造である。
【００３８】
ダクト筐体１の傾斜接続部１８，１９内では、スクリュー接続部１６，１７により、直線状のピッチ部材２０と直線状のピッチ部材２０または直線状のピッチ部材３０と直線状のピッチ部材３０が、僅かに傾斜して配置された状態で、連続するように接続され、全体として湾曲したダクト筐体１内に、各ピッチ部材２０、３０が適正位置に装着されることとなる。
【００３９】
なお、レジスタの組立て時には、図５に示すように、下ダクト半割部１１の下収納部１４内に、或いは上ダクト半割部１２の上収納部１５内に、ピッチ部材２０、３０が挿入され嵌着されるが、下ダクト半割部１１及び上ダクト半割部１２内の収納部の壁面には、ピッチ部材２０、３０の所定取付位置に、例えば差込穴或いは凹部が設けられ、ピッチ部材２０、３０の縁部に突設された差込凸部２１、３１とダクト内壁面に設けた凹部等を嵌合させて、定位置に固定するようになっている。
【００４０】
上記のように、ピッチ部材２０、３０を下収納部１４または上収納部１５内のスクリュー接続部１６，１７とスクリュー接続部１６，１７間に挿入した状態で、下ダクト半割部１１と上ダクト半割部１２を合せて閉じるように嵌着されるが、このために、下ダクト半割部１１の周縁部と上ダクト半割部１２の開口周縁部に、相互に嵌合する嵌合部として、薄板状嵌合部１１ｂ、１２ｂが設けられる。この薄板状嵌合部１１ｂ、１２ｂにより、隙間なく下ダクト半割部１１と上ダクト半割部１２とを合せて嵌着することができ、空気の漏れを防止している。
【００４１】
また、薄板状嵌合部１１ｂ、１２ｂには、複数の係止部１１ａと、係止部１１ａに係止される係止爪１２ａが設けられ、下ダクト半割部１１上に上ダクト半割部１２を被せて、或いは上ダクト半割部１２上に下ダクト半割部１１を被せて内部を閉じたとき、嵌合状態を係止する。図４に示すように、上ダクト半割部１２の係止爪１２ａの近傍に、嵌合時の嵌合位置を合せるために、位置決めリブ１２ｃが突設される。下ダクト半割部１１上に上ダクト半割部１２を被せて閉じるように嵌着する際、位置決めリブ１２ｃを下ダクト半割部１１側の係合部に係合させることよって、嵌合位置を合わせ、且つ係止部１１ａと係止爪１２ａの係止が容易にできるようにしている。
【００４２】
図１、図９などに示すように、ダクト筐体１の下ダクト半割部１１には、その中央部に空気の導入口９が下側に開口して形成され、上ダクト半割部１２には、その周縁部に複数のスリット状の吹出口３が、ダクト円周壁の接線方向に、上向きに設けられる。吹出口３は、複数個が軸方向（長手方向）に沿って上向きに並設され、導入口９の上方つまりダクト筐体１の中央部にも吹出口３がダクト円周壁の接線方向に、上向きに設けられる。なお、図１〜図３に示すように、この実施形態では、ダクト筐体１内の導入口９の両側に、収納部８が２個づつ並設されるが、並設する収納部８の数は任意であり、使用するピッチ部材２０，３０の数を３個以上とする場合は、収納部８の並設数もそれに合せて、３個以上とすればよい。
【００４３】
このレジスタは、ダクト筐体１の両端部が閉鎖され、中央部に導入口９が設けられ、導入口９から導入した空気を、ダクト筐体１内の長手方向両側に送り、ダクト筐体１の軸方向に沿って並設した上向きの吹出口３から送風する構造である。このために、図４，５に示す如く、ダクト筐体１の各収納部８内には、例えば左側に左ネジ（中央部から左側を見た場合の左ネジ）のピッチ部材２０が挿入され、右側にはそれと逆ネジ（中央部から右側を見た場合の右ネジ）のピッチ部材３０が挿入される。ダクト筐体１内のスクリュー部材２は、収納部８内に収納された複数のピッチ部材２０、ピッチ部材３０、及びそれらを接続するスクリュー接続部１６，１７から構成される。
【００４４】
スクリュー部材２の一方のピッチ部材２０は、図１２に示す如く、左ネジとして形成され、他方のピッチ部材３０は、図１３に示す如く、右ネジとして形成される。ピッチ部材２０，３０は、ダクト筐体１内の各収納部８に収納された状態で、図１の左側と右側で相互に逆ネジの螺旋壁を構成する。これにより、スクリュー部材２の螺旋壁両側のダクト筐体１内には、第１螺旋流路４と第２螺旋流路５が、二重螺旋流路として形成される。ダクト筐体１の中央に設けた導入口９から導入した空気は、図１４に示す如く、左右両側のダクト筐体１内の第１螺旋流路４と第２螺旋流路５を旋回しながら両側に送られることとなる。
【００４５】
ダクト筐体１内に第１螺旋流路４と第２螺旋流路５を形成する、スクリュー部材２のピッチ部材２０とピッチ部材３０は、図１２、図１３に示す如く、１ピッチ分の螺旋部材から構成され、スライドコアなどを設けた射出成形金型を用いた成形型により、合成樹脂により一体成形することが可能である。
【００４６】
なお、図示するピッチ部材２０とピッチ部材３０のネジピッチは、ネジの外径の約４倍と軸方向に長く形成されるが、ピッチ部材２０とピッチ部材３０のネジピッチは、例えばネジの外径の約１倍〜３倍とし、或いはネジピッチをネジの外径より短くすることもできる。ピッチ部材２０，３０のネジピッチを短くした場合、スクリュー部材２の螺旋流路を流れる空気流は、より多く旋回して送風されることとなる。また、ダクト筐体１内に形成する収納部８の数はより多くなり、収納部８に収納するピッチ部材２０，３０の数も多くなり、ダクト筐体１の長さは長くなる。ピッチ部材２０，３０のピッチ長やダクト筐体１の長さは、レジスタの導入口９に供給する風量、吹出口３から送風する空気の風量、風速などから、決定することができる。
【００４７】
図１２，１３に示すように、ピッチ部材２０の両側縁部には、２個の差込凸部２１が突設され、中間縁部にも、２個の差込凸部２２が突設される。また同様に、ピッチ部材３０の両側縁部には、２個の差込凸部３１が突設され、中間縁部にも、２個の差込凸部３２が突設される。一方、上ダクト半割部１２の上収納部１５内及び下ダクト半割部１１の下収納部１４内には、差込凸部２１、２２、３１，３２に対応した各位置に、嵌合凹部が設けられる。これにより、ピッチ部材２０，３０を上ダクト半割部１２または下ダクト半割部１１内に挿入したとき、それらの差込凸部２１、２２、３１，３２をダクト側の嵌合凹部に差し込み、ピッチ部材２０，３０を所定位置に簡単に嵌着可能としている。
【００４８】
次に、上記構成のレジスタの製造方法を説明すると、レジスタを製造する場合、先ず、成形型を用いた射出成形工程において、上記ダクト筐体１と、２種のピッチ部材２０，３０を合成樹脂により射出成形する。このとき、上ダクト半割部１２と下ダクト半割部１１からなるダクト筐体１は、平板部１３及びヒンジ部１３ａを介して一体に成形され、２種のピッチ部材２０，３０は、各々の成形型を用いて一体成形される。このため、使用する成形型は、３個のみとなり、成形型の製作費及び射出成形工程の工数を少なくすることができる。これにより、湾曲したダクト筐体１とスクリュー部材２を持つ特殊形状のレジスタであっても、比較的低コストで製造することができる。
【００４９】
次に、成形された部材は下記のように組み立てられる。先ず、成形されたダクト筐体１の下ダクト半割部１１の下収納部１４内または上ダクト半割部１２の上収納部１５内に、ピッチ部材２０，３０を挿入する。図５に示すように、左ネジのピッチ部材２０は、ダクト筐体１の左側の下ダクト半割部１１の下収納部１４内または上ダクト半割部１２の上収納部１５内に挿入する。
【００５０】
右ネジのピッチ部材３０は、ダクト筐体１の右側の下ダクト半割部１１の下収納部１４内または上ダクト半割部１２の上収納部１５内に挿入して組み付ける。つまり、ピッチ部材２０，３０は、上収納部１５或いは下収納部１４内の何れかに挿入すればよい。
【００５１】
このとき、下収納部１４内の両側には板状のスクリュー接続部１６が定位置に突設され、上収納部１５内の両側にはスクリュー接続部１７が定位置に突設されるため、ピッチ部材２０，３０は、その両側縁部をスクリュー接続部１６間或いはスクリュー接続部１７間に嵌め込むように挿入するだけで、正確な位置に嵌め込むことができる。そのとき、ピッチ部材２０，３０は、両側縁部と中間縁部に設けた差込凸部２１、２２、３１，３２を、ダクト側の嵌合凹部に差し込むことにより、所定位置に且つ正確な姿勢で、嵌め込まれる。
【００５２】
次に、図４に示すように、上ダクト半割部１２と下ダクト半割部１１を、その開口部を合せるように、ヒンジ部１３ａを介して回動させ、下ダクト半割部１１上に上ダクト半割部１２を被せ、或いは上ダクト半割部１２上に下ダクト半割部１１を被せるようにダクト半割部材１０を閉じる。このとき、上ダクト半割部１２と下ダクト半割部１１の周縁部は、薄板状嵌合部１２ｂ，１１ｂの嵌合により、密閉され、係止爪１２ａと係止部１１ａが係止されて、嵌着される。
【００５３】
このように、開放された下ダクト半割部１１の下収納部１４内或いは上ダクト半割部１２の上収納部１５内に、各々ピッチ部材２０，３０を挿入し、上ダクト半割部１２と下ダクト半割部１１の開口部を合せるように回動させて閉じるのみの簡単な作業で、レジスタを組み立てることができる。
【００５４】
この状態で、ダクト筐体１内の複数のピッチ部材２０，３０の両側端部は、各々、下収納部１４及び上収納部１５内の突設されたスクリュー接続部１６，１７により相互に接続された状態となり、ダクト筐体１内にピッチ部材２０，３０からなるスクリュー部材２が適正位置に設置され、ダクト筐体１内には、スクリュー部材２の螺旋壁の両側に、図１４に示すように、第１螺旋流路４と第２螺旋流路５が形成される。このレジスタでは、中央の導入口９側から左側のダクト内を見たとき、第１螺旋流路４と第２螺旋流路５が左ネジ方向に旋回するように形成され、中央の導入口９側から右側を見たとき、第１螺旋流路４と第２螺旋流路５は右ネジ方向に旋回するように形成される。
【００５５】
上記構成のレジスタは、例えばデフロスタ用レジスタとして、フロントガラスの下方のダッシュボード内に設置され、レジスタのダクト筐体１は湾曲形状であるため、フロントガラスの元部の曲線部分に合せて、ダッシュボード内に取り付けることができる。図示しない空調装置の送風ダクトがダクト筐体１の導入口９に接続されるが、従来のデフロスタ用レジスタと異なり、本レジスタは円筒ダクト型で小型に形成されるため、ダッシュボード内のフロントガラス下側の狭小スペースに設置することができる。
【００５６】
空調装置の送風機により、送風ダクトを通して導入口９からダクト筐体１内に空気流が送られると、図１４に示すように、空気流は導入口９から左右両側に分かれて送られる。そして、左側のダクト筐体１内には、左側に向かって左ネジのピッチ部材２０により第１螺旋流路４と第２螺旋流路５がスクリュー部材２の両側に形成されているので、空気流Ｒ１が左ネジ方向に旋回しながら第１螺旋流路４と第２螺旋流路５を送られる。
【００５７】
また同様に、右側のダクト筐体１内には、右側に向かって右ネジのピッチ部材３０により第１螺旋流路４と第２螺旋流路５がスクリュー部材２の両側に形成されているので、空気流Ｒ２が右ネジ方向に旋回しながら、第１螺旋流路４と第２螺旋流路５を送られる。このとき、空気流Ｒ１，Ｒ２は、ダクト筐体１内の両側で、第１螺旋流路４と第２螺旋流路５を左ネジまたは右ネジに沿って旋回しながら流れ、ダクト筐体１の両端は閉鎖されるため、旋回する空気流はダクト筐体１の円周縁部の接線方向に設けた吹出口３から上方に送風される。
【００５８】
送風時、第１螺旋流路４と第２螺旋流路５を旋回して流れる空気流Ｒ１，Ｒ２には遠心力が作用する。これにより、空気流Ｒ１，Ｒ２は、ダクト筐体１の円筒内壁に沿って流れ、接線方向で且つ旋回方向に向けて開口する吹出口３から、空気流は円滑に低圧力損失で車室内に送風される。また、デフロスタ用レジスタのように、多数の吹出口３が長手方向に沿って並設される場合でも、螺旋流路を旋回して送風される空気流は、広い範囲にわたり比較的均一な風量と風速で送風することができる。
【００５９】
なお、上記実施形態では、ダクト半割部材１０の下ダクト半割部１１と上ダクト半割部１２を、ヒンジ部１３ａを介して一体成形したが、図１５に示すように、ヒンジ部を設けずに、下ダクト半割部１１Ａと上ダクト半割部１２Ａを、別々に成形することもできる。図１５では、上記実施形態と同様な部分に、上記と同じ符号を図に付しており、その説明は省略する。
【００６０】
図１５に示すレジスタの場合、下ダクト半割部１１Ａを成形するための射出成形用金型と、上ダクト半割部１２Ａを成形するための射出成形用金型とが別々に必要となるが、組立て時には、上記と同様に、内部にピッチ部材２０，３０を収納した状態で、下ダクト半割部１１Ａと上ダクト半割部１２Ａを合せるように閉じて嵌着するのみで、ダクト型のレジスタを簡単に製造することができる。
【００６１】
また、上記実施形態では、ダクト筐体１の中央部に空気の導入口９を設け、ダクト筐体１の両端部を閉鎖した構造としたが、図１６に示すように、ダクト筐体１Ａの先端部を閉鎖し、ダクト筐体１Ａの末端部に導入口９Ａを開口形成し、その導入口９Ａに空調装置の送風ダクトを接続するように構成することもできる。図１６では、上記実施形態と同様な部分には、上記と同じ符号を図に付しており、その説明は省略する。
【００６２】
図１６のレジスタの場合、湾曲したダクト筐体１Ａ内に、軸方向に沿って形成される複数の収納部には、各々右ネジのピッチ部材３０のみを収納し、ダクト半割部材１０の下ダクト半割部１１と上ダクト半割部１２を合せて嵌着すればよい。使用時、末端の導入口９Ａから導入した空気流を右ネジ方向に旋回させて送り、複数の吹出口３から上向きに送風することとなる。このようなダクト型のレジスタは、車室内の天井縁部や床縁部などの狭く湾曲したスペースなどにおいて、簡便に設置して使用することができる。
【符号の説明】
【００６３】
１      ダクト筐体
２      スクリュー部材
３      吹出口
４      第１螺旋流路
５      第２螺旋流路
８      収納部
９      導入口
１０    ダクト半割部材
１１    下ダクト半割部
１１ａ  係止部
１１ｂ  薄板状嵌合部
１２    上ダクト半割部
１２ａ  係止爪
１２ｂ  薄板状嵌合部
１２ｃ  位置決めリブ
１３    平板部
１３ａ  ヒンジ部
１４    下収納部
１５    上収納部
１６    スクリュー接続部
１７    スクリュー接続部
１８    傾斜接続部
１９    傾斜接続部
２０    ピッチ部材
２１    差込凸部
２２    差込凸部
３０    ピッチ部材
３１    差込凸部
３２    差込凸部
【図１】
2018043719.tif 000003
【図２】
2018043719.tif 000004
【図３】
2018043719.tif 000005
【図４】
2018043719.tif 000006
【図５】
2018043719.tif 000007
【図６】
2018043719.tif 000008
【図７】
2018043719.tif 000009
【図８】
2018043719.tif 000010
【図９】
2018043719.tif 000011
【図１０】
2018043719.tif 000012
【図１１】
2018043719.tif 000013
【図１２】
2018043719.tif 000014
【図１３】
2018043719.tif 000015
【図１４】
2018043719.tif 000016
【図１５】
2018043719.tif 000017
【図１６】
2018043719.tif 000018